(57)【特許請求の範囲】
【請求項１】
原稿面に沿って所定方向に移動するスライダーと、
前記スライダーに搭載されると共に、該スライダーの移動中に、それぞれが異なる色の光を前記原稿に対して順次照射する複数の光源と、
前記スライダーが前記所定方向において上流側から第２の撮影位置、第１の撮影位置及び第３の撮影位置に位置する場合に、前記原稿において反射した光により、該原稿の画像を撮影する撮影手段と、
前記原稿において反射した光の光路を変化させる光路変化手段と、
を備え、
前記光路変化手段は、第１の液体及び第２の液体を含む液体レンズであって、該第１の液体と該第２の液体との界面の形状が、エレクトロウエッティング現象により変形することによって、前記光路が変化する液体レンズであり、
前記光路変化手段は、前記スライダーが前記第２の撮影位置に位置する場合において、前記原稿において反射した光の前記光路を該所定方向の下流側に移動させると共に、前記スライダーが前記第３の撮影位置に位置する場合において、前記原稿において反射した光の該光路を該所定方向の上流側に移動させること、
を特徴とする画像読み取り装置。
【請求項２】
前記第１の撮影位置は、前記所定方向に等間隔に複数並んでおり、
前記第２の撮影位置及び前記第３の撮影位置は、前記各第１の撮影位置の間に複数並んでいること、
を特徴とする請求項１に記載の画像読み取り装置。
【請求項３】
前記光路変化手段は、
前記第１の液体及び前記第２の液体に電圧を印加するための第１の電極及び第２の電極を、
更に含み、
前記界面は、前記第１の電極と前記第２の電極とにそれぞれ異なる電圧が印加されることにより、前記液体レンズの光軸に対して非対称な形状に変形すること、
を特徴とする請求項２に記載の画像読み取り装置。
【請求項４】
前記第１の電極と前記第２の電極とは、前記原稿において反射した光の光路を挟むように配置されていること、
を特徴とする請求項３に記載の画像読み取り装置。
【発明の詳細な説明】
【技術分野】
【０００１】
本発明は、画像読み取り装置に関し、より特定的には、それぞれが異なる色の光を出射する複数の光源を備えた画像読み取り装置に関する。
【背景技術】
【０００２】
画像読み取り装置において、カラー画像を読み取る方式として、カラーフィルタ方式と光源切り替え方式との２種類の方式が存在する。カラーフィルタ方式は、Ｒ（赤色）Ｇ（緑色）Ｂ（青色）のそれぞれ光を透過する複数のフィルターを撮影素子に設け、原稿に対して白色光を照射し、該原稿からの反射光により画像を撮影する方式である。一方、光源切り替え方式は、赤色の光を出射する光源、緑色の光を出射する光源及び青色の光を出射する光源を設け、それぞれの光源により赤色・緑色・青色の光を原稿に対して順次照射し、該原稿からの反射光により画像を撮影する方式である。光源切り替え方式は、一般的に、低価格のＣＩＳ（コンタクトイメージセンサ）方式の画像読み取り装置に適用されている。
【０００３】
ここで、前記光源切り替え方式では、以下に図面を用いて説明するように、読み取った画像において色ずれが発生するという問題がある。図９は、光源切り替え方式により読み取った画像に色ずれが発生することを説明するための説明図である。図９には、原稿Ｐとスライダー１０１が記載されている。以下では、スライダー１０１が移動する方向を副走査方向と呼び、副走査方向に垂直であって、原稿Ｐと平行な方向を主走査方向と呼ぶ。
【０００４】
原稿Ｐには、読み取られるべき画像が印刷されている。また、スライダー１０１は、図９では省略されているが、赤色・緑色・青色のそれぞれの光を出射する複数の光源、等倍レンズ及びＣＣＤ（Ｃｈａｒｇｅ  Ｃｏｕｐｌｅｄ  Ｄｅｖｉｃｅ）を含んでいる。該スライダー１０１は、図９に示すように、副走査方向に等速ｖで移動しながら原稿Ｐの画像を読み取る。具体的には、スライダー１０１は、等速ｖで移動しながら、原稿Ｐに赤色・緑色・青色の光を順次照射する。ＣＣＤは、赤色・緑色・青色の一ライン分の画像を順次撮影する。
【０００５】
しかしながら、光源切り替え方式の画像読み取り装置では、スライダー１０１が等速ｖで移動しながら、赤色・緑色・青色の順に一ラインずつ画像が撮影される。そのため、赤色の画像が撮影される撮影位置ＲＬと緑色の画像が撮影される撮影位置ＧＬと青色の画像が撮影される撮影位置ＢＬとが、図９に示すように、１／３画素ずつずれてしまう。その結果、画像読み取り装置によって読み取られた画像に色ずれが発生してしまう。
【０００６】
ところで、特許文献１には、読取り面が湾曲した原稿やしわのある原稿の画像を読み取るための画像読取り装置が記載されている。該画像読取り装置では、液体レンズの焦点を、原稿の読取り面に一致させている。しかしながら、特許文献１には、色ずれを解消するための画像読み取り装置は記載されていない。
【特許文献１】特開２００６−２５４１３２号公報
【発明の開示】
【発明が解決しようとする課題】
【０００７】
そこで、本発明の目的は、複数の色の光を順次照射してカラー画像を読み取る画像読み取り装置であって、読み取った画像に色ずれが発生することを抑制できる画像読み取り装置を提供することである。
【課題を解決するための手段】
【０００８】
本発明は、画像読み取り装置において、原稿面に沿って所定方向に移動するスライダーと、前記スライダーに搭載されると共に、該スライダーの移動中に、それぞれが異なる色の光を前記原稿に対して順次照射する複数の光源と、前記スライダーが前記所定方向において上流側から第２の撮影位置、第１の撮影位置及び第３の撮影位置に位置する場合に、前記原稿において反射した光により、該原稿の画像を撮影する撮影手段と、前記原稿において反射した光の光路を変化させる光路変化手段と、を備え、前記光路変化手段は、第１の液体及び第２の液体を含む液体レンズであって、該第１の液体と該第２の液体との界面の形状が、エレクトロウエッティング現象により変形することによって、前記光路が変化する液体レンズであり、前記光路変化手段は、前記スライダーが前記第２の撮影位置に位置する場合において、前記原稿において反射した光の前記光路を該所定方向の下流側に移動させると共に、前記スライダーが前記第３の撮影位置に位置する場合において、前記原稿において反射した光の該光路を該所定方向の上流側に移動させること、を特徴とする。
【０００９】
本発明によれば、第１の撮影位置よりも上流側にスライダーが位置している場合には、光路変化手段が原稿で反射した光の光路を上流側に移動させ、第１の撮影位置よりも下流側が位置している場合には、光路変化手段が原稿で反射した光の光路を下流側に移動させている。そのため、第１の撮影位置よりも上流側にスライダーが位置している場合であっても、撮影手段には、原稿の第１の撮影位置において反射した光が入射するようになる。また、第１の撮影位置よりも下流側にスライダーが位置している場合であっても、撮影手段には、原稿の第１の撮影位置において反射した光が入射するようになる。これにより、撮影手段に入射する光は、複数の光源のいずれが点灯した場合においても、原稿の略同じ位置で反射した光となる。その結果、画像読み取り装置において色ずれが発生することが抑制される。
【００１０】
本発明において、前記第１の撮影位置は、前記所定方向に等間隔に複数並んでおり、前記第２の撮影位置及び前記第３の撮影位置は、前記各第１の撮影位置の間に複数並んでいてもよい。
【００１２】
本発明において、前記光路変化手段は、前記第１の液体及び前記第２の液体に電圧を印加するための第１の電極及び第２の電極を、更に含み、前記界面は、前記第１の電極と前記第２の電極とにそれぞれ異なる電圧が印加されることにより、前記液体レンズの光軸に対して非対称な形状に変形してもよい。
【００１３】
本発明において、前記第１の電極と前記第２の電極とは、前記原稿において反射した光の光路を挟むように配置されていてもよい。
【発明を実施するための最良の形態】
【００１４】
以下に、本発明の一実施形態に係る画像読み取り装置について、図面を参照しながら説明する。
【００１５】
（画像読み取り装置の構成）
図１は、本発明の一実施形態に係る画像読み取り装置１０の側面図である。図２は、画像読み取り装置１０に搭載されたスライダー１６内部の斜視図である。
【００１６】
画像読み取り装置１０は、原稿Ｐに光を照射して、原稿Ｐから反射してきた光を受光することにより、原稿Ｐの画像を読み取る装置であって、図１に示すように、画像読み取り装置本体１２、プラテンガラス１４、スライダー１６及び制御部３２を備える。該画像読み取り装置１０は、所謂、コンタクトイメージセンサ方式と呼ばれる読み取り方式が採用された装置である。以下では、スライダー１６の移動方向を副走査方向（ｘ軸方向）と定義し、副走査方向に直交し、原稿Ｐに平行な方向を主走査方向（ｙ軸方向）と定義する。
【００１７】
画像読み取り装置本体１２は、画像読み取り装置１０の筐体であり、その内部にスライダー１６及び制御部３２を格納している。更に、画像読み取り装置本体１２の上面は、開口しており、開口にはプラテンガラス１４が嵌め込まれている。プラテンガラス１４は、透明なガラス又は樹脂により作成され、その上面に原稿Ｐが載置される。
【００１８】
スライダー１６は、図１の矢印の方向に原稿Ｐ面に沿って一定の速度で移動して、原稿Ｐの画像を読み取り、スライダー本体１８、光源２０Ｒ，２０Ｇ，２０Ｂ、導光板２２、等倍レンズ２４、受光素子２６、液体レンズ２８及び基板３０を含む。スライダー本体１８は、スライダー１６の筐体であり、その内部に光源２０Ｒ，２０Ｇ，２０Ｂ、導光板２２、等倍レンズ２４、受光素子２６、液体レンズ２８及び基板３０を格納している。更に、スライダー本体１８の上面は開口している。
【００１９】
光源２０Ｒ，２０Ｇ，２０Ｂは、例えばＬＥＤ（Ｌｉｇｈｔ  Ｅｍｉｔｔｉｎｇ  Ｄｉｏｄｅ）により構成され、スライダー１６に搭載される。具体的には、光源２０Ｒ，２０Ｇ，２０Ｂは、図２に示すように、ｙ軸方向に延びる導光板２２の片端に取り付けられている。なお、光源２０Ｒ，２０Ｇ，２０Ｂは、導光板２２の両端に設けられていてもよい。光源２０Ｒ，２０Ｇ，２０Ｂは、それぞれが異なる色の光を原稿Ｐに対して順次照射する光源として機能する。具体的には、光源２０Ｒは、赤色の光を原稿Ｐに照射する。光源２０Ｇは、緑色の光を原稿Ｐに照射する。光源２０Ｂは、青色の光を原稿Ｐに照射する。
【００２０】
導光板２２は、図２に示すように、ｙ軸方向に長手方向を有する形状を有し、片端から入射してくる光を原稿Ｐ側へと導く。この際、導光板２２は、原稿Ｐに照射する光に輝度むらが発生しないように、導光板２２内において光を拡散させる。
【００２１】
導光板２２から出射した光は、プラテンガラス１４を通過し、原稿Ｐを照射する。更に、導光板２２から出射した光は、原稿Ｐにおいて反射し、等倍レンズ２４に入射する。等倍レンズ２４は、図２に示すように、ｙ軸方向に長手方向を有する形状を有し、原稿Ｐにおいて反射した光を、受光素子２６の受光面上に等倍で結像させる光学素子である。
【００２２】
受光素子２６は、原稿Ｐにおいて反射した光により、原稿Ｐの画像を撮影する撮影手段として機能する。該受光素子２６は、例えばＣＣＤ（Ｃｈａｒｇｅ  Ｃｏｕｐｌｅｄ  Ｄｅｖｉｃｅｓ）により構成され、入射してきた光の強度に応じた電気信号を生成する素子である。本実施形態では、受光素子２６は、原稿Ｐで反射した光を受光し、該光の強度に応じた電気信号を生成する。該受光素子２６は、図２に示すように、ｙ軸方向に長手方向を有する形状を有し、ｘ軸方向には１画素分の幅を有する。すなわち、受光素子２６では、ｙ軸方向に延びるように画素が１列に並んでいる。
【００２３】
液体レンズ２８は、等倍レンズ２４と受光素子２６との間に設けられ、原稿Ｐにおいて反射した光の光路を、変化させる役割を果たす。具体的には、液体レンズ２８は、原稿Ｐにおいて反射した光の光路を、スライダー１６の進行方向（ｘ軸方向）の上流側又は下流側に移動させる。該液体レンズ２８は、図２に示すように、ｙ軸方向に長手方向を有する形状を有する。これにより、等倍レンズ２４、液体レンズ２８及び受光素子２６が、上からこの順に互いに平行となるように配置される。
【００２４】
基板３０は、光源２０Ｒ，２０Ｇ，２０Ｂ、受光素子２６及び液体レンズ２８の動作を制御するための回路基板である。制御部３２は、例えば、ＣＰＵにより構成され、光源２０Ｒ，２０Ｇ，２０Ｂ、受光素子２６及び液体レンズ２８の動作を制御する。以上に示す構成により、画像読み取り装置１０は、原稿Ｐの画像を読み取る。
【００２５】
（液体レンズの構成）
次に、液体レンズ２８の構成について図面を参照しながら説明する。図３及び図５は、液体レンズ２８の光軸と平行な面における断面構造図である。図４は、図３の液体レンズ２８のＣの部分の拡大図である。
【００２６】
図２に示すように、液体レンズ２８は、導電性液体４０、絶縁性液体４２、透明板４４，４６、電極４８Ｒ，４８Ｌ、絶縁膜５０Ｒ，５０Ｌ及び電極５２Ｒ，５２Ｌを含む。該液体レンズ２８は、導電性液体４０と絶縁性液体４２との界面Ｓの形状を、エレクトロウエッティング現象により変形させることができるものである。具体的には、電極４８Ｒ，４８Ｌ，５２Ｒ，５２Ｌに対して電圧が印加されると、界面Ｓは、図２（ｂ）に示す状態から、図２（ａ）に示す状態へと変形する。
【００２７】
透明板４４，４６は、透明な樹脂又はガラスにより構成され、互いに平行に所定の隙間を残して配置される。この隙間には、導電性液体４０と絶縁性液体４２とが封入される。
【００２８】
導電性液体４０は、無機塩の水溶液や、有機液体など、それ自身が導電性を有するもの、或いはイオン性成分を付加することによって導電性とされた液体である。絶縁性液体４２は、導電性液体４０とは異なる屈折率を有し、導電性液体４０と混合しない液体である。そのため、導電性液体４０と絶縁性液体４２とは、互いに分離した状態となっており、界面Ｓを形成している。これにより、導電性液体４０と絶縁性液体４２とはレンズを構成している。なお、導電性液体４０の屈折率の方が、絶縁性液体４２の屈折率よりも小さいことが好ましい。
【００２９】
電極４８Ｒ，４８Ｌは、導電性液体４０と接触するように、透明板４４上に設けられる。具体的には、電極４８Ｒ，４８Ｌは、原稿Ｐにおいて反射した光の光路を挟んで対向し、図２において、ｙ軸方向に延びるように形成されている。電極５２Ｒ，５２Ｌはそれぞれ、透明板４６と電極４８Ｒ，４８Ｌとの間に設けられる。具体的には、電極５２Ｒ，５２Ｌは、原稿Ｐにおいて反射した光の光路を挟んで対向し、図２において、ｙ軸方向に延びるように形成されている。
【００３０】
絶縁膜５０Ｒ，５０Ｌはそれぞれ、電極５２Ｒ，５２Ｌを覆うように形成される。具体的には、絶縁膜５０Ｒ，５０Ｌはそれぞれ、電極４８Ｒ，４８Ｌと電極５２Ｒ，５２Ｌとの間に形成されて該電極４８Ｒ，４８Ｌと電極５２Ｒ，５２Ｌとを絶縁すると共に、電極５２Ｒ，５２Ｌの内周面に形成されて電極５２Ｒ，５２Ｌと導電性液体４０及び絶縁性液体４２とが接触しないようにしている。電極４８Ｒ，４８Ｌと電極５２Ｒ，５２Ｌとの間には、液体レンズ２８の駆動時において、電圧が印加される。そして、電極４８Ｒと電極４８Ｌとが別々に設けられ、電極５２Ｒと電極５２Ｌとが別々に設けられることにより、電極４８Ｒと電極５２Ｒとの間に印加される電圧と、電極４８Ｌと電極５２Ｌとの間に印加される電圧とを独立して制御することが可能となる。
【００３１】
以上のように構成された液体レンズ２８について、以下に、その動作原理について図４を参照しながら説明する。図４は、図３の液体レンズ２８のＣの部分の拡大図である。図４（ａ）は、電圧が印加されていない状態での液体レンズ２８（図３（ｂ）に対応）のＣの部分の拡大図であり、図４（ｂ）は、電圧が印加された状態での液体レンズ２８（図３（ａ）に対応）のＣの部分の拡大図である。以下の説明では、個別の電極４８Ｒ，４８Ｌ、絶縁膜５０Ｒ，５０Ｌ及び電極５２Ｒ，５２Ｌを指す場合には、電極４８Ｒ，４８Ｌ、絶縁膜５０Ｒ，５０Ｌ及び電極５２Ｒ，５２Ｌと記載し、電極４８Ｒ，４８Ｌ、絶縁膜５０Ｒ，５０Ｌ及び電極５２Ｒ，５２Ｌを総称する場合には、電極４８、絶縁膜５０及び電極５２と記載する。
【００３２】
まず、導電性液体４０と絶縁性液体４２との間の界面張力を界面張力γ１２とし、絶縁膜５０と導電性液体４０との間の界面張力を界面張力γ３１とし、絶縁性液体４２と絶縁膜５０との間の界面張力を界面張力γ２３と定義する。図４（ａ）に示すように、電極４８と電極５２との間に電圧が印加されていない場合には、界面張力γ１２と界面張力γ２３と界面張力γ３１とは、互いに釣り合っており、界面Ｓと絶縁膜５０とが角θ１の角度をなしている。このとき、角θ１と界面張力γ１２と界面張力γ２３と界面張力γ３１との間には、ヤングの方程式により、式（１）の関係が成立する。
【００３３】
【数１】
0004882987.tif 000002
【００３４】
ここで、電極４８と電極５２とに電圧を印加すると、例えば、図４（ｂ）に示すように、絶縁膜５０と導電性液体４０との境界には、プラスの電荷が現れる。一方、絶縁膜５０と電極５２との境界には、マイナスの電荷が現れる。これにより、電荷による圧力Πが、絶縁性液体４２と絶縁膜５０との間に、界面張力γ２３と同じ方向に発生する。この圧力Πは、式（２）のように示される。
【００３５】
【数２】
0004882987.tif 000003
【００３６】
なお、εは絶縁膜５０の誘電率であり、ε０は真空の誘電率であり、ｅは絶縁膜５０の厚さであり、Ｖは電極４８と電極５２との間の電圧である。
【００３７】
圧力Πが発生することにより、界面Ｓと絶縁膜５０とは、角θ１よりも大きな角θ２の角度をなすようになる。例えば、電極４８Ｒと電極５２Ｒとの間及び電極４８Ｌと電極５２Ｌとの間の両方に、電圧が印加された場合には、液体レンズ２８の界面Ｓは、図３（ａ）に示すように、湾曲する。この角θ２は、式（３）のように示される。
【００３８】
【数３】
0004882987.tif 000004
【００３９】
以上のように、電極４８と電極５２との間に印加する電圧を変化させることにより、界面Ｓと絶縁膜５０とのなす角度が変化することがわかる。そして、界面Ｓと絶縁膜５０とのなす角度が変化することにより、電極４８Ｒと電極５２Ｒとの間及び電極４８Ｌと電極５２Ｌの間の両方に電圧が印加された状態では、図３（ａ）に示すように、界面Ｓが湾曲して、焦点距離が相対的に短くなる。また、電極４８Ｒと電極５２Ｒとの間及び電極４８Ｌと電極５２Ｌとの間の両方に電圧が印加されていない状態では、図３（ｂ）に示すように、界面Ｓが平坦状になり、焦点距離が相対的に長くなる。
【００４０】
更に、電極４８Ｒと電極５２Ｒとの間及び電極４８Ｌと電極５２Ｌとの間に異なる電圧が印加されることにより、界面Ｓは、液体レンズ２８の光軸に対して非対称な形状に変形する。具体的には、電極４８Ｒと電極５２Ｒとの間にのみ電圧が印加された状態では、図５（ａ）に示すように、界面Ｓは、電極５２Ｌ側から電極５２Ｒ側へと行くにしたがって下がるように傾斜する。この場合、液体レンズ２８に入射する光の光路は、図５（ａ）に示すように、電極５２Ｒ側から電極５２Ｌ側へと移動させられる。
【００４１】
一方、電極４８Ｌと電極５２Ｌとの間にのみ電圧が印加された状態では、図５（ｂ）に示すように、界面Ｓは、電極５２Ｒ側から電極５２Ｌ側へと行くにしたがって下がるように傾斜する。この場合、液体レンズ２８に入射する光の光路は、図５（ｂ）に示すように、電極５２Ｌ側から電極５２Ｒ側へと移動させられる。
【００４２】
（画像読み取り装置の動作）
以下に、画像読み取り装置１０の動作について図面を参照しながら説明する。図６及び図７は、画像読み取り装置１０の側面図である。図６では、図１の画像読み取り装置１０よりもスライダー１６が１／３画素分だけｘ軸方向の上流側に位置している。図７では、図１の画像読み取り装置１０よりもスライダー１６が１／３画素分だけｘ軸方向の下流側に位置している。図６及び図７では、理解の容易のために、スライダー１６の移動量を通常よりも大きく記載した。
【００４３】
画像読み取り装置１０では、スライダー１６が図９に示す撮影位置ＲＬ，ＧＬ，ＢＬのそれぞれに位置する場合に、光源２０Ｒ，２０Ｇ，２０Ｂが原稿Ｐに対して光を照射する。そして、受光素子２６は、各光源２０Ｒ，２０Ｇ，２０Ｂが光を照射するタイミングで原稿Ｐの一ライン分の画像の撮影を行う。この際、画像読み取り装置１０では、液体レンズ２８が、原稿Ｐにおいて反射した光の光路をｘ軸方向の上流側又は下流側に移動させている。ここで、スライダー１６が撮影位置ＲＬ，ＧＬ，ＢＬに位置するとは、原稿Ｐの撮影位置ＲＬ，ＧＬ，ＢＬで反射した光が、図３（ｂ）に示す状態の液体レンズ２８を通過して受光素子２６に入射するときのスライダー１６の位置を指す。また、スライダー１６は等速で移動するので、撮影位置ＧＬは、図９に示すように、ｘ軸方向に等間隔に複数並んでいる。撮影位置ＲＬは、撮影位置ＧＬの上流側に該撮影位置ＧＬに対応するように位置している。撮影位置ＢＬは、撮影位置ＧＬの下流側に該撮影位置ＢＬに対応するように位置している。
【００４４】
以下に、画像読み取り装置１０の動作について詳しく説明する。図８は、画像読み取り装置１０の動作信号の波形図である。図８（ａ）は、光源２０Ｒの駆動信号ＬＥＤＲを示した図である。図８（ｂ）は、光源２０Ｇの駆動信号ＬＥＤＧを示した図である。図８（ｃ）は、光源２０Ｂの駆動信号ＬＥＤＢを示した図である。図８（ａ）〜図８（ｃ）では、駆動信号ＬＥＤＲ，ＬＥＤＧ，ＬＥＤＢがローレベルのときに光源２０Ｒ，２０Ｇ，２０Ｂが消灯し、駆動信号ＬＥＤＲ，ＬＥＤＧ，ＬＥＤＢがハイレベルのときに光源２０Ｒ，２０Ｇ，２０Ｂが点灯する。図８（ｄ）は、制御部３２が生成する駆動信号ＳＰを示した図である。図８（ｅ）は、電極４８Ｌと電極５２Ｌとの間に印加される駆動信号ＳｉｇＬを示した図である。図８（ｆ）は、電極４８Ｒと電極５２Ｒとの間に印加される駆動信号ＳｉｇＲを示した図である。
【００４５】
制御部３２は、駆動信号ＳＰをハイレベルに立ち上げて、基板３０に出力すると共に、駆動信号ＳｉｇＬをローレベルに立ち下げ、駆動信号ＳｉｇＲをハイレベルに立ち上げる（時刻ｔ１）。これにより、図５（ａ）に示すように、液体レンズ２８の界面Ｓは、電極５２Ｌ側から電極５２Ｒ側へと行くにしたがって下がるように傾斜する。時刻ｔ１から所定時間経過後に、制御部３２は、駆動信号ＬＥＤＲをローレベルに立ち下げる。これにより、光源２０Ｒは、赤色の光を原稿Ｐに照射する（時刻ｔ２）。この時刻ｔ２において、スライダー１６は、図６に示すように、撮影位置ＧＬよりもｘ軸方向の上流側に位置する撮影位置ＲＬに位置している。更に、時刻ｔ２において、液体レンズ２８は、原稿Ｐで反射した光の光路をｘ軸方向の上流側に移動させている。その結果、受光素子２６には、原稿Ｐの撮影位置ＧＬで反射した光が受光素子２６に入射するようになる。
【００４６】
時刻ｔ２から所定の時間だけ、光源２０Ｒは、点灯している。そこで、受光素子２６は、光源２０Ｒが点灯している期間中に、原稿Ｐの撮影位置ＧＬにおける一ライン分の赤色の画像を撮影する。
【００４７】
次に、制御部３２は、駆動信号ＳＰをハイレベルに立ち上げて、基板３０に出力すると共に、駆動信号ＳｉｇＲをローレベルに立ち下げる（時刻ｔ３）。このとき、受光素子２６は、一ライン分の赤色の画像信号を制御部３２に出力する。更に、図３（ｂ）に示すように、液体レンズ２８の界面Ｓは、平坦状になる。時刻ｔ３から所定時間経過後に、制御部３２は、駆動信号ＬＥＤＧをローレベルに立ち下げる。これにより、光源２０Ｇは、緑色の光を原稿Ｐに照射する（時刻ｔ４）。この時刻ｔ４において、スライダー１６は、図１に示すように、撮影位置ＧＬに位置している。液体レンズ２８は、原稿Ｐで反射した光の光路を移動させないので、受光素子２６には、原稿Ｐの撮影位置ＧＬで反射した光が入射する。
【００４８】
時刻ｔ４から所定の時間だけ、光源２０Ｇは、点灯している。そこで、受光素子２６は、光源２０Ｇが点灯している期間中に、原稿Ｐの撮影位置ＧＬにおける一ライン分の緑色の画像を撮影する。
【００４９】
制御部３２は、駆動信号ＳＰをハイレベルに立ち上げて、基板３０に出力すると共に、駆動信号ＳｉｇＬをハイレベルに立ち上げる（時刻ｔ５）。このとき、受光素子２６は、一ライン分の緑色の画像信号を制御部３２に出力する。更に、図５（ｂ）に示すように、液体レンズ２８の界面Ｓは、電極５２Ｒ側から電極５２Ｌ側へと行くにしたがって下がるように傾斜する。時刻ｔ５から所定時間経過後に、制御部３２は、駆動信号ＬＥＤＢをローレベルに立ち下げる。これにより、光源２０Ｂは、青色の光を原稿Ｐに照射する（時刻ｔ６）。この時刻ｔ６において、スライダー１６は、図７に示すように、撮影位置ＧＬよりもｘ軸方向の下流側に位置する撮影位置ＢＬに位置している。更に、時刻ｔ６において、液体レンズ２８は、原稿Ｐで反射した光の光路をｘ軸方向の下流側に移動させている。その結果、受光素子２６には、原稿Ｐの撮影位置ＧＬで反射した光が受光素子２６に入射するようになる。
【００５０】
時刻ｔ６から所定の時間だけ、光源２０Ｂは、点灯している。そこで、受光素子２６は、光源２０Ｂが点灯している期間中に、原稿Ｐの撮影位置ＧＬにおける一ライン分の青色の画像を撮影する。この後、制御部３２は、駆動信号ＳＰをハイレベルに立ち上げて、基板３０に出力する（時刻ｔ７）。このとき、受光素子２６は、一ライン分の青色の画像信号を制御部３２に出力する。以上のような時刻ｔ１〜時刻ｔ７の動作により、制御部３２は、赤色の画像データ、緑色の画像データ及び青色の画像データをそれぞれ一ライン分ずつ得る。更に、スライダー１６が原稿Ｐ面に沿って移動している間、時刻ｔ１〜時刻ｔ７の動作が繰り返されることにより、制御部３２は、原稿Ｐの画像データを取得する。
【００５１】
（効果）
画像読み取り装置１０によれば、撮影位置ＧＬよりも上流側にスライダー１６が位置している場合には、液体レンズ２８が原稿Ｐで反射した光の光路を上流側に移動させ、撮影位置ＧＬよりも下流側にスライダー１６が位置している場合には、液体レンズ２８が原稿Ｐで反射した光の光路を下流側に移動させている。そのため、撮影位置ＧＬよりも上流側にスライダー１６が位置している場合であっても、受光素子２６には、原稿Ｐの撮影位置ＧＬにおいて反射した光が入射するようになる。また、撮影位置ＧＬよりも下流側にスライダー１６が位置している場合であっても、受光素子２６には、原稿Ｐの撮影位置ＧＬにおいて反射した光が入射するようになる。これにより、受光素子２６に入射する光は、光源２０Ｒ，２０Ｇ，２０Ｂのいずれが点灯した場合においても、原稿Ｐの同じ位置で反射した光となる。その結果、画像読み取り装置１０において色ずれが発生することが抑制される。
【００５２】
（その他の実施形態）
なお、本発明に係る画像読み取り装置１０は前記実施形態に限定するものではなく、その要旨の範囲内で変更することができる。例えば、液体レンズ２８は、図２に示すように、一つの細長い形状のものに限らない。例えば、小さな液体レンズ２８がｙ軸方向に複数並んでいてもよい。この場合、各液体レンズ２８に、電極４８と電極５２とが設けられていることが好ましい。これにより、各液体レンズ２８を独立して制御することが可能となり、ｙ軸方向の位置に応じて、色ずれ量を制御することが可能となる。更に、不要な液体レンズ２８については、駆動させずに済むので、画像読み取り装置１０の低消費電力化を図ることが可能となる。
【００５３】
また、前記画像読み取り装置１０では、光源として３つの光源２０Ｒ，２０Ｇ，２０Ｂが用いられているが、光源の数はこれに限らない。光源は、少なくとも複数設けられていればよい。
【００５４】
また、前記画像読み取り装置１０では、光路変化手段として液体レンズ２８が用いられているが、該光路変化手段はこれに限らない。例えば、液体レンズ２８の代わりに、ガラス板等の透明板が等倍レンズ２４と受光素子２６との間に設けられてもよい。そして、この透明板の傾きが変化させられることにより、原稿Ｐで反射した光の光路が変化させられる。
【図面の簡単な説明】
【００５５】
【図１】本発明の一実施形態に係る画像読み取り装置の側面図である。
【図２】画像読み取り装置に搭載されたスライダー内部の斜視図である。
【図３】液体レンズの光軸と平行な面における断面構造図である。
【図４】図３の液体レンズのＣの部分の拡大図である。
【図５】液体レンズの光軸と平行な面における断面構造図である。
【図６】画像読み取り装置の側面図である。
【図７】画像読み取り装置の側面図である。
【図８】画像読み取り装置の動作信号の波形図である。
【図９】光源切り替え方式により読み取った画像に色ずれが発生することを説明するための説明図である。
【符号の説明】
【００５６】
１０  画像読み取り装置
１２  画像読み取り装置本体
１４  プラテンガラス
１６  スライダー
１８  スライダー本体
２０Ｒ，２０Ｇ，２０Ｂ  光源
２２  導光板
２４  等倍レンズ
２６  受光素子
２８  液体レンズ
３０  基板
３２  制御部
４０  導電性液体
４２  絶縁性液体
４８，４８Ｌ，４８Ｒ，５２，５２Ｌ，５２Ｒ  電極
ＲＬ，ＧＬ，ＢＬ  撮影位置
Ｐ  原稿
Ｓ  界面
【図１】
0004882987.tif 000005
【図２】
0004882987.tif 000006
【図３】
0004882987.tif 000007
【図４】
0004882987.tif 000008
【図５】
0004882987.tif 000009
【図６】
0004882987.tif 000010
【図７】
0004882987.tif 000011
【図８】
0004882987.tif 000012
【図９】
0004882987.tif 000013